(57)【特許請求の範囲】
【請求項１】
前板と後板と底板で断面凹状に形成された植物用のプランターを建物のベランダに立設する断面矩形状の壁の頂部に固着するプランターと吊金具の構造であって、
前記プランターは前板の上端部に第一突起と後板の上端部に第二突起を備え、前記吊金具は略水平状の吊金具本体と固着部から成り、この吊金具本体の先端部にプランターの第一突起を係止する第一係止部と吊金具本体の後端部又は前記固着部にプランターの第二突起を係止する第二係止部を備え、前記固着部は前記壁の頂部の前面と頂面と後面とに対応する前面板と頂面板と後面板とで形成され、
前記吊金具の前記固着部の前面板に、この前面板よりも幅広の補強板が固着されることを特徴とするプランターと吊金具の構造。
【請求項２】
請求項１に記載のプランターと吊金具の構造であって、前記固着部は前記壁の頂部の前面と頂面に対応する前面板と頂面板から成る第一アングル板材と、頂部の後面と頂面に対応する後面板と頂面板から成る第二アングル板材とが互いの頂面に備える長穴を介してボルト・ナット等の固着具で前記頂部に跨って固着されることを特徴とするプランターと吊金具の構造。
【請求項３】
請求項１又は請求項２に記載のプランターと吊金具の構造であって、前記前面板をボルト・ナット等の固着具を介して前記壁の前面に固着する取付穴が前記前面板に設けられることを特徴とするプランターと吊金具の構造。
【発明の詳細な説明】
【技術分野】
【０００１】
本発明は、建築物のベランダに配置される植物用のプランターと吊金具の構造に関し、詳しくは、建物側から見た時のプランターと吊金具の外観の見栄えを良くして品質向上するプランターと吊金具の構造に関する。
【背景技術】
【０００２】
従来、住宅等において、部屋から手近に植物等の鑑賞ができるようにベランダにプランターを配置する構成が特許文献１に開示されている。図６に示すように、建物本体から張り出したバルコニー２に腰壁３を備える。バルコニー２には、複数のプランター９が腰壁３に沿って配置され、これらプランター９にはツタ８等が植えられている。
【０００３】
腰壁３には複数の垂直フレーム材６を介して金属製の手摺部４が取付けられる。腰壁３の上端部５は、建物内方向に向かって斜め下方に傾斜した傾斜面である。
【０００４】
手摺部４の上方には、屋根１０の軒先に取付けられた軒樋を利用した導水部１１が配置され、導水部１１には雨水１４をツタ８へ落とすための図示しない開口部が開閉自在に形成される。屋根１０からの雨水は図示しない方法で貯水タンク１２に貯水しておき配水管１３で導水部１１に適宜配水できる。
【０００５】
手摺部４やツタ８へと落ちた雨水は、腰壁３の上端部５を流れ、プランター９に導かれる。これによって、雨水の有効利用で簡単に植物に水をやることができて夏場であれば打ち水としての納涼効果もある。
【特許文献１】特開２００２−１３８５７１号公報
【発明の開示】
【発明が解決しようとする課題】
【０００６】
ところが、複数のプランター９がバルコニー２の上に設けられるので、バルコニー２の有効スペースが制限されるため、人がバルコニー２に出た場合に狭く感じることがあった。
【０００７】
この問題を解消するために、図７に示すように、吊金物１５を用いてプランター１６をバルコニー１７の壁１７ａに吊下げる方法が用いられる。この方法によれば、バルコニー１７はプランター１６の下方スペースも利用できるのでバルコニー１７の有効スペースは変わらない。しかしながら、吊金物１５がプランター１６の側面１６ａに突出するので、外観が悪いため品質性が劣るという問題があった。
【０００８】
そこで、本発明はかかる従来技術の問題に鑑みなされたものであって、建物のバルコニーの手摺部に吊下げるプランターと吊金具の構造に関し、外観に優れて品質向上するプランターと吊金具の構造を提供することを目的とする。
【課題を解決するための手段】
【０００９】
請求項１の発明は、前板と後板と底板で断面凹状に形成された植物用のプランターを建物のベランダに立設する断面矩形状の壁の頂部に固着するプランターと吊金具の構造であって、前記プランターは前板の上端部に第一突起と後板の上端部に第二突起を備え、前記吊金具は略水平状の吊金具本体と固着部から成り、この吊金具本体の先端部にプランターの第一突起を係止する第一係止部と吊金具本体の後端部又は前記固着部にプランターの第二突起を係止する第二係止部を備え、前記固着部は前記壁の頂部の前面と頂面と後面とに対応する前面板と頂面板と後面板とで形成され、前記吊金具の前記固着部の前面板に、この前面板よりも幅広の補強板が固着されることを特徴としている。
【００１０】
請求項２の発明は、請求項１に記載のプランターと吊金具の構造であって、前記固着部は前記壁の頂部の前面と頂面に対応する前面板と頂面板から成る第一アングル板材と、頂部の後面と頂面に対応する後面板と頂面板から成る第二アングル板材とが互いの頂面に備える長穴を介してボルト・ナット等の固着具で前記頂部に跨って固着されることを特徴としている。
【００１２】
請求項３の発明は、請求項１又は請求項２に記載のプランターと吊金具の構造であって、前記前面板をボルト・ナット等の固着具を介して前記壁の前面に固着する取付穴が前記前面板に設けられることを特徴としている。
【発明の効果】
【００１３】
請求項１記載の発明によれば、前記プランターは前板の上端部に第一突起と後板の上端部に第二突起を備え、吊金具本体の先端部の第一係止部にプランターの第一突起が係止される。このため、部屋からプランターを見た際に吊金具本体がプランターの前板に殆ど露出しないため外観が良くなり品質性が向上する。
【００１４】
そして、前記固着部は前記壁の頂部の前面と頂面と後面とに対応する前面板と頂面板と後面板とで形成されるので、前記壁の頂部に跨って容易に固着できる。加えて、請求項１の発明によれば、前記吊金具の固着部の第一アングル板材における前面板に固着される補強板が前面板よりも幅広に形成されるので、前記吊金具の横方向の安定性が向上するので前記吊金具は前記壁に跨って安定して固着できる。そして、同様にプランターも安定して前記吊金具に懸架できる。
【００１５】
請求項２記載の発明によれば、前記固着部は第一アングル板材と第二アングル板材によってボルト・ナット等の固着具で前記壁の前記頂部に跨って固着されるが、このとき、互いの頂面に長穴を備えるので前記頂部の幅に合わせて容易に安定して固着できる。
【００１７】
請求項３の発明によれば、前記前面板が取付穴によってボルト・ナット等の固着具を介して前記壁に固着されるので、請求項３に記載の発明の効果と同様の効果をさらに確実に得ることができる。
【発明を実施するための最良の形態】
【００１８】
［プランターと吊金具の構造の構成］  
以下に、本発明の第一の実施形態を図１〜図３に基づいて説明する。
【００１９】
図１、図２に示すように、本発明のプランターと吊金具の構造は、前板３１と後板３２と底板３３で断面凹状に形成された植物用のプランター３０と、このプランター３０を建物のベランダ４０に高さ略１ｍで立設される断面矩形状の壁４１の頂部４２に固着する吊金具２０とから成る。
【００２０】
プランター３０は前板３１の上端部に第一突起３１ａと後板３２の上端部に第二突起３２ａを備える。第一突起３１ａはプランター３０の内部に向けて形成されるとともに第二突起３２ａはプランター３０の外部に向けて形成され、第一突起３１ａは第二突起３２ａよりも底板３３から高く形成される。底板３３の中央部には壁４１に沿ってベランダ４０の排水口３３ｂに連結する排水管３３ａが設けられる。
【００２１】
吊金具２０は幅Ｓで、略水平状の吊金具本体２２と固着部２１から成り、吊金具本体２２は前部２３と中央部２４と後部２５が連続形成されて成り、後部２５の上面２５ａは上方傾斜して形成される。中央部２４は断面矩形形状の上板２４ａと下板２４ｂが垂直な縦板２４ｃと連結する断面Ｈ字形状である。そして、この吊金具本体２２の前部２３にプランター３０の第一突起３１ａを係止する第一係止部２３ａが設けられる。
【００２２】
固着部２１は壁４１の頂部４２の前面４２ａと頂面４２ｂに対応する前面板２６ａと頂面板２６ｂから成る第一アングル板材２６と、頂部４２の後面４２ｃと頂面４２ｂに対応する後面板２７ａと頂面板２７ｂから成る第二アングル板材２７とで形成される。
【００２３】
第一アングル板材２６と第二アングル板材２７は頂部４２に跨った状態で互いの頂面板２６ｂ、２７ｂに備える長穴２８を介してボルト２９ａ、ナット２９ｂ、ワッシャー２９ｃから成る固着具２９で固着される。そして、固着部２１の前面板２６ａにプランター３０の第二突起３２ａを係止する第二係止部２１aを備える。
【００２４】
プランター３０は、第一突起３１ａが吊金具２０の第一係止部２３ａに係止され、第二突起３２ａが固着部２１の第二係止部２１aにそれぞれ係止されて吊り下げられる。
【００２５】
図３に示すように、プランター３０はベランダ４０の形状に沿って立設される壁４１に合わせて、直線状プランター３０ａ、外曲がり形状プランター３０ｂ、内曲がり形状プランター３０ｃと終端部３０ｄを組み合して形成される。ここで、プランター３０と排水管３３ａと吊金具２０は、建物の軒先に取付けられる軒樋と吊金具及び竪樋を利用することもできる。
【００２６】
プランター３０の材質は塩化ビニール樹脂等の合成樹脂材料、吊金具２０の材質はステンレスや亜鉛メッキをした金属が用いられる。
［プランターと吊金具の構造の作用］
【００２７】
プランター３０の第一突起３１ａはプランター３０の内部に向けて形成されるとともに第二突起３２ｂよりも底板３３から高く形成される。このため、略水平状の吊金具本体２２の前部２３の第一係止部２３ａがプランター３０の第一突起３１ａを係止した状態で、部屋からプランター３０を見た際に吊金具本体２２がプランター３０に隠れて殆ど露出しないのでプランター３０の外観が良くなり品質性が向上する。
【００２８】
固着部は第一アングル板材と第二アングル板材によってボルト・ナット等の固着具で壁の頂部に跨って固着されるが、このとき、互いの頂面に長穴を備えるので頂部の幅に合わせて容易に安定して固着できる。そして、ベランダ４０はプランター３０の下方スペースも利用できるのでベランダ４０の有効スペースは変わらないのでベランダ４０を広く利用できる。
【００２９】
プランター３０と排水管３３ａと吊金具２０は、建物の軒樋に取付けられる軒樋とその吊金具と竪樋を利用して取付けることもできるので、汎用性に優れコストを下げることができる。軒樋は色揃えも豊富でベランダの壁の色に容易に合わせることが可能である。そして、図３に示すように、外曲がり形状、内曲がり形状、終端部等は建物の軒樋として汎用品を用いることができる。
【００３０】
［本発明の第二の実施形態］
本発明の第二の実施形態のプランターと吊金具の構造を図４を用いて説明するが、図２に示す吊金具の構成と同様の構成部分については図面に同符号を付して重複した説明を省略し、図１と図３に示す構成とは同様であるのでその説明および図面を省略する。
【００３１】
吊金具２０の固着部２１の第一アングル板材２６における前面板２６ａに、この前面板２６ａよりも広い幅Ｓ１の補強板４５が４組の取付穴４５ａを備えて固着される。補強板４５は壁４１の前面４２ａに取付穴４５ａを介して図示しないボルト等で固着されるので、前記吊金具の横方向の安定性が向上する。
【００３２】
［本発明の第三の実施形態］
本発明の第三の実施形態のプランターと吊金具の構造を図５を用いて説明するが、図２に示す吊金具の構成と同様の構成部分については図面に同符号を付して重複した説明を省略し、図１と図３に示す構成とは同様であるのでその説明および図面を省略する。
【００３３】
固着部５０は壁４１の頂部４２の前面４２ａと頂面４２ｂと後面４２ｃとに対応する前面板２６ａと頂面板２６ｂと後面板２６ｃとで形成されるので、容易に壁４１の頂部４２に跨って固着できる。
【００３４】
以上、本発明の実施例を図面に基づいて説明したが、具体的な構成はこの実施例に限られるものではなく本発明の要旨を逸脱しない範囲の設計変更等があっても本発明に含まれる。
【００３５】
例えば、プランター３０の吊金具本体２２への係止方法は、第二突起３２ａがプランター３０の内部側に形成されて、吊金具本体２２の後部２５の下方に設けられる係止部に係止される構成でも構わない。プランター３０の第一突起３１ａはプランター３０の外部に向けて形成される場合もある。さらに、吊金具の代わりにプランター３０をその下部から受ける受金具で保持し、受金具と連結する固着部を壁の頂部に跨って固着する構成でもよい。
【００３６】
補強板４５は取付穴４５ａを設けなくてもよい。この場合でも補強板４５は前面板２６ａの幅Ｓよりも広い幅Ｓ１で形成されるので、補強板４５は壁４１に沿って吊金具２０の水平方向の安定性を向上させることができる。
【図面の簡単な説明】
【００３７】
【図１】本発明の第一の実施形態における、プランター３０が建物のベランダ４０に立設した壁４１の頂部４２に固着する吊金具２０で吊下げられた状態を示す一部断面視側面図である。
【図２】本発明の第一の実施形態における、吊金具２０の組付け斜視図である。
【図３】本発明の第一の実施形態における、ベランダ４０に折れ曲って立設する壁４１にプランター３０と吊金具２０が配置された状態を示す斜視図である。
【図４】本発明の第二の実施形態における、吊金具２０に補強板４５を備えた状態を示す斜視図である。
【図５】本発明の第三の実施形態における、前面板２６ａと頂面板２６ｂと後面板２６ｃとで形成される固着部５０の状態を示す斜視図である。
【図６】従来の、住宅等においてベランダ２上にプランター９が配置された状態を示す斜視図である。
【図７】従来の、ベランダ１７の壁１７ａの頂部に固着されたプランター１６と吊金具１５の状態を示す斜視図である。
【符号の説明】
【００３８】
２０  吊金具
２１  固着部
２１a  第二係止部
２２  吊金具本体
２３  前部
２３a  第一係止部
２４  中央部
２５  後部
２６  第一アングル板材
２６ａ  前面板
２６ｂ  頂面板
２７  第二アングル板材
２７ａ  後面板
２７ｂ  頂面板
３０  プランター
３１  前板
３１ａ  第一突起
３２  後板
３２ａ  第二突起
４０  ベランダ
４１  壁
４２  頂部
４２ａ  前面
４２ｂ  頂面
４２ｃ  後面
【図１】
0004943991.tif 000002
【図２】
0004943991.tif 000003
【図３】
0004943991.tif 000004
【図４】
0004943991.tif 000005
【図５】
0004943991.tif 000006
【図６】
0004943991.tif 000007
【図７】
0004943991.tif 000008